(57)【特許請求の範囲】
【請求項１】
所定の紙幅のロール紙を収容可能であって、紙幅方向に延びるスライド軸と、異なるロール紙の紙幅に応じて複数設けられた位置決め部とを有するロール紙ホルダと、
ロール紙の端面と当接可能であって、前記ロール紙ホルダのスライド軸と係合することによって紙幅方向に移動可能に支持されるとともに、前記ロール紙ホルダの位置決め部と係合した状態で紙幅方向の所定の位置が定められるように構成された仕切り部材と、を備え、
前記仕切り部材は、ロール紙の端面と当接可能なスライド部と、該スライド部に略垂直に設けられた第１のアーム部及び第２のアーム部とを有し、
第１のアーム部には、前記ロール紙ホルダのスライド軸に嵌合可能な軸受部が設けられ、第２のアーム部には、前記ロール紙ホルダの位置決め部の一部又は全部と係合可能な調節部が設けられ、
前記ロール紙ホルダの位置決め部は、ねじを案内する穴を有する部分が突状に形成されることによって構成される一方で、前記仕切り部材の調節部は、当該位置決め部にはまるように所定の大きさをもって紙幅方向に長く形成されていることを特徴とする紙幅調節機構。
【請求項２】
前記ロール紙ホルダには、前記仕切り部材の紙幅方向の位置を定めるための目盛りが付されていることを特徴とする請求項１に記載の紙幅調節機構。
【請求項３】
所定の紙幅のロール紙を収容可能であって、紙幅方向に延びるスライド軸と、異なるロール紙の紙幅に応じて複数設けられた位置決め部とを有するロール紙ホルダと、
ロール紙の端面と当接可能であって、前記ロール紙ホルダのスライド軸と係合することによって紙幅方向に移動可能に支持されるとともに、前記ロール紙ホルダの位置決め部と係合した状態で紙幅方向の所定の位置が定められるように構成された仕切り部材と、を備え、
前記仕切り部材は、ロール紙の端面と当接可能なスライド部と、該スライド部に略垂直に設けられた第１のアーム部及び第２のアーム部とを有し、
第１のアーム部には、前記ロール紙ホルダのスライド軸に嵌合可能な軸受部が設けられ、第２のアーム部には、前記ロール紙ホルダの位置決め部の一部又は全部と係合可能な調節部が設けられ、
前記仕切り部材は、第１、第２のアーム部のいずれか一方又は双方が前記ロール紙ホルダのロール紙の側部のうち基準となる第１の側部と当接可能であって、前記ロール紙ホルダに収容すべきロール紙の最小幅とほぼ等しい長さに設定されていることを特徴とする紙幅調節機構。
【請求項４】
前記仕切り部材は、スライド部の厚さが前記ロール紙ホルダの側部のうち第１の側部と反対側の第２の側部とスライド部自身との間隔が、ロール紙の最小幅より小さくなるように設定されていることを特徴とする請求項３記載の紙幅調節機構。
【請求項５】
前記仕切り部材のスライド部には、第１、第２のアーム部と反対方向に延びる第３のアーム部が前記ロール紙ホルダの第２の側部と当接可能な範囲で設けられていることを特徴とする請求項３又は４のいずれか１項記載の紙幅調節機構。
【請求項６】
前記ロール紙ホルダには、前記仕切り部材を第１、第２のアーム部のいずれか一方又は双方が第１の側部に当接した状態で導くためのガイド部が設けられる一方で、前記仕切り部材のスライド部の一部が、当該ガイド部と係合可能に構成されていることを特徴とする請求項３乃至５のいずれか１項記載の紙幅調節機構。
【請求項７】
前記ロール紙ホルダは、前記ガイド部が前記スライド軸に向かう方向に延びるように形成されていることを特徴とする請求項６記載の紙幅調節機構。
【請求項８】
前記仕切り部材は、前記スライド部が一部切り欠かれたような形状であって当該切欠き部分に摘み部が形成されていることを特徴とする請求項１乃至７のいずれか１項記載の紙幅調節機構。
【請求項９】
前記仕切り部材は、前記ロール紙ホルダに装着された状態においてスライド部が前記ロール紙ホルダの第１、第２の側部より低くなるような大きさで形成されていることを特徴とする請求項８記載の紙幅調節機構。
【請求項１０】
請求項１乃至９のいずれか１項記載の紙幅調節機構と、
当該紙幅調節機構に装填されたロール紙から引き出される記録紙に印字可能な印字ヘッドと、
該印字ヘッドとの間に記録紙を紙送り可能なプラテンローラとを備えたことを特徴とするプリンタ。
【発明の詳細な説明】
【０００１】
【発明の属する技術分野】
本発明は、例えば、ロール紙から引き出される記録紙に印字を行うプリンタに関し、特に、異なる紙幅のロール紙に対応するための紙幅調節機構を備えたプリンタに関する。
【０００２】
【従来の技術】
一般に、感熱用のロール紙やラベル用のロール紙には、数種の規格幅があり、このようなロール紙に印字を行うプリンタにおいては、ロール紙ホルダを最大の規格幅のロール紙を収容可能な大きさとし、最大の規格幅より小さい規格幅のロール紙にも対応するため、ロール紙ホルダに仕切り板が用いられている。
【０００３】
この仕切り板は、ロール紙ホルダと複数の箇所で係合することによって、所望の規格幅に応じた位置に装着されるようになっている。
【０００４】
【発明が解決しようとする課題】
しかしながら、このような従来技術においては、特に、ラベル状のロール紙を用いるにあたって、連続の感熱用のロール紙の場合よりも規格幅の種類が多く、しかも、規格以外の幅のロール紙をプリンタに対応させたいという要望もあるため、従来用いていた仕切り板又はロール紙ホルダの他に、別個のものを用意しなければならず、このことがコスト高につながるという問題があった。
【０００５】
一方、従来の仕切り板は、ロール紙ホルダから浮いて装着されるとその隙間に記録紙が入り込むことがあるため、ロール紙ホルダに密着した状態で装着されるようになっているが、このことは、仕切り板をある規格幅に設定すると、その設定を変更するのに手間がかかるという問題もあった。
【０００６】
本発明は、このような従来の技術の課題を解決するためになされたもので、
その目的とするところは、一つの仕切り部材でも多くの規格幅をもつロール紙だけでなく、規格以外の幅のロール紙にも調節可能であって、しかも、紙幅の設定変更が容易な紙幅調節機構を提供することにある。
【０００７】
【課題を解決するための手段】
上記目的を達成するためになされた本発明は、所定の紙幅のロール紙を収容可能であって、紙幅方向に延びるスライド軸と、異なるロール紙の紙幅に応じて複数設けられた位置決め部とを有するロール紙ホルダと、ロール紙の端面と当接可能であって、ロール紙ホルダのスライド軸と係合することによって紙幅方向に移動可能に支持されるとともに、ロール紙ホルダの位置決め部と係合した状態で紙幅方向の所定の位置が定められるように構成された仕切り部材とを備え、仕切り部材は、ロール紙の端面と当接可能なスライド部と、このスライド部に略垂直に設けられた第１のアーム部及び第２のアーム部とを有し、第１のアーム部には、ロール紙ホルダのスライド軸に嵌合可能な軸受部が設けられ、第２のアーム部には、ロール紙ホルダの位置決め部の一部又は全部と係合可能な調節部が設けられ、ロール紙ホルダの位置決め部は、ねじを案内する穴を有する部分が突状に形成されることによって構成される一方で、仕切り部材の調節部は、その位置決め部にはまるように所定の大きさをもって紙幅方向に長く形成された紙幅調節機構である。
【０００８】
本発明によれば、仕切り部材を、ロール紙ホルダにおいて紙幅方向に移動するようにし、さらに、ロール紙ホルダの位置決め部と係合した状態で紙幅方向の位置を調節することにより、一つの仕切り部材でも多くの規格幅をもつロール紙だけでなく、規格以外の幅のロール紙にも対応することができる。
【００１０】
また、ロール紙ホルダにスライド可能であって、所定の位置に調節可能な構成をもつ仕切り部材を得ることができ、さらに、このような仕切り部材の大きさを最小にすることが可能になる。
【００１２】
また、ロール紙ホルダと仕切り部材との間に、位置決め部と調節孔と係合による位置調節を施すことにより、複数の規格幅をもつロール紙に対応することが可能になることと併せて、仕切り部材をロール紙ホルダにねじによって固定することにより、仕切り部材をロール紙ホルダとの間に隙間なく密着させることが可能になる一方で、紙幅の設定変更を容易することができる。
【００１３】
本発明において、ロール紙ホルダには、仕切り部材の紙幅方向の位置を定めるための目盛りが付されていることも効果的である。
【００１４】
本発明によれば、仕切り部材を、目盛りを介してロール紙ホルダに対して調節することにより、規格以外の幅のロール紙にも対応することができる。
【００１５】
上記目的を達成するためになされた本発明は、所定の紙幅のロール紙を収容可能であって、紙幅方向に延びるスライド軸と、異なるロール紙の紙幅に応じて複数設けられた位置決め部とを有するロール紙ホルダと、ロール紙の端面と当接可能であって、ロール紙ホルダのスライド軸と係合することによって紙幅方向に移動可能に支持されるとともに、ロール紙ホルダの位置決め部と係合した状態で紙幅方向の所定の位置が定められるように構成された仕切り部材とを備え、仕切り部材は、ロール紙の端面と当接可能なスライド部と、このスライド部に略垂直に設けられた第１のアーム部及び第２のアーム部とを有し、第１のアーム部には、ロール紙ホルダのスライド軸に嵌合可能な軸受部が設けられ、第２のアーム部には、ロール紙ホルダの位置決め部の一部又は全部と係合可能な調節部が設けられ、仕切り部材は、第１、第２のアーム部のいずれか一方又は双方がロール紙ホルダのロール紙の側部のうち基準となる第１の側部と当接可能であって、ロール紙ホルダに収容すべきロール紙の最小幅とほぼ等しい長さに設定された紙幅調節機構である。
【００１６】
本発明によれば、仕切り部材を、ロール紙ホルダにおいて紙幅方向に移動するようにし、さらに、ロール紙ホルダの位置決め部と係合した状態で紙幅方向の位置を調節することにより、一つの仕切り部材でも多くの規格幅をもつロール紙だけでなく、規格以外の幅のロール紙にも対応することができる。
また、ロール紙ホルダにスライド可能であって、所定の位置に調節可能な構成をもつ仕切り部材を得ることができ、さらに、このような仕切り部材の大きさを最小にすることが可能になる。
また、仕切り部材の第１、第２のアーム部のいずれか一方又は双方をロール紙ホルダの第１の側部に突き当てるだけで、最小幅のロール紙に対応することができる。
【００１７】
本発明において、仕切り部材は、スライド部の厚さがロール紙ホルダの側部のうち第１の側部と反対側の第２の側部とスライド部自身との間隔が、ロール紙の最小幅より小さくなるように設定されていることも効果的である。
【００１８】
本発明によれば、仕切り部材のスライド部とロール紙ホルダの第２の側部の間に形成される空間は、最小幅のロール紙でさえ収容できない大きさであるため、必ず、仕切り部材のスライド部とロール紙ホルダの第１の側部の間にしかロール紙が収容されず、オペレータの誤操作を防止することができる。
【００１９】
本発明において、仕切り部材のスライド部には、第１、第２のアーム部と反対方向に延びる第３のアーム部がロール紙ホルダの第２の側部と当接可能な範囲で設けられていることも効果的である。
【００２０】
本発明によれば、仕切り部材の第３のアーム部の存在により、仕切り部材のスライド部とロール紙ホルダの第２の側部の間にロール紙を収容するという誤操作を防止できることと併せて、第３のアーム部の長さを所定の値に設定すれば、対応しうるロール紙の規格幅を増やすことができる。
【００２１】
本発明において、ロール紙ホルダには、仕切り部材を第１、第２のアーム部のいずれか一方又は双方が第１の側部に当接した状態で導くためのガイド部が設けられる一方で、仕切り部材のスライド部の一部が、そのガイド部と係合可能に構成されていることも効果的である。
【００２２】
本発明によれば、仕切り部材を、第１のアームがロール紙ホルダの第１の側部に当接又は接近した状態でのみロール紙ホルダに装着させることにより、装着した状態では必ず最小幅のロール紙に対応できるようになっているため、そのロール紙を用いる場合には調節の必要がないという利点がある。
【００２３】
本発明において、ロール紙ホルダは、ガイド部がスライド軸に向かう方向に延びるように形成されていることも効果的である。
【００２４】
本発明によれば、仕切り部材のスライド部の一部をロール紙ホルダのガイド部に係合させてから、その仕切り部材を落とし込むだけで、ロール紙ホルダのスライド軸にはめることができるため、仕切り部材の操作性を向上することができる。
【００２５】
本発明において、仕切り部材は、スライド部が一部切り欠かれたような形状であってその切欠き部分に摘み部が形成されていることも効果的である。
【００２６】
本発明によれば、仕切り部材の摘み部が視覚的に認識されやすいため、オペレータが掴みやすく、仕切り部材の位置調整を容易に行うことができる。
【００２７】
本発明において、仕切り部材は、ロール紙ホルダに装着された状態においてスライド部がロール紙ホルダの第１、第２の側部より低くなるような大きさで形成されていることも効果的である。
【００２８】
本発明によれば、ロール紙ホルダと仕切り部材との間において、ロール紙の装着や取り外しを容易にすることができる。
【００２９】
一方、本発明は、上記発明のいずれか一つの紙幅調節機構と、その紙幅調節機構に装填されたロール紙から引き出される記録紙に印字可能な印字ヘッドと、この印字ヘッドとの間に記録紙を紙送り可能なプラテンローラとを備えたことを特徴とするプリンタである。
【００３０】
本発明によれば、多くの規格幅をもつロール紙だけでなく、規格以外の幅のロール紙にも対応可能なプリンタを得ることができ、特に、紙幅の種類が多いラベル用のプリンタに有効である。
【００３１】
【発明の実施の形態】
以下、本発明に係る紙幅調節機構を備えたプリンタの好ましい実施の形態を図面を参照して詳細に説明する。
【００３２】
図１は、本実施の形態のプリンタの概略構成を示す側面図である。
【００３３】
図２は、同プリンタのカバーが開いた状態を示す側面図、図３は、同プリンタのカバーが開いた状態を示す斜視図、図４は、同プリンタのカバーが開いた状態の要部を示す斜視図である。
【００３４】
図５は、本実施の形態の紙幅調節機構の概略構成を示す正面図、図６は、同紙幅調節機構のうちロール紙ホルダの概略構成を示す斜視図、図７（ａ）（ｂ）は、同紙幅調節機構のうち仕切り部材の概略構成を示す斜視図である。
【００３５】
図８（ａ）〜（ｆ）は、同ロール紙ホルダと同仕切り部材のロール紙の幅調節についての位置関係を示す図である。
【００３６】
図１又は図２に示すように、本実施の形態のプリンタ１は、横置き又は縦置きのいずれにも設置可能なものであって、略直方体状に形成された本体ケース２を有し、この本体ケース２に平板状のカバー３が開閉可能に支持されている。このカバー３は、解除レバー４によって本体ケース２と係合又はその解除されるように構成され、開かれた場合には、本体ケース２の一側面２ａと略同一平面上に配置されるようになっている。
【００３７】
ここで、プリンタ１は、横置きにする場合には、本体ケース２の側面のうち、カバー３を上部に配置するような側面（図２の下面）２ｂを底にして配置され、縦置きにする場合には、開かれたカバー３と同一平面をなすような側面２ａ（図２の左側面）を底にして配置されるが、以下の説明において、プリンタ１の内部構成の位置関係については、横置きにしたものを基準に述べる。
【００３８】
本体ケース２の前方側（図１の右側）の部位には、感熱方式により印字可能な印字ヘッド５が設けられている。一方、カバー３の先端部分には、印字ヘッド５との間に記録紙を紙送り可能なプラテンローラ６が設けられている。このプラテンローラ６は、カバー３が閉じられた場合、印字ヘッド５と対向する位置に配置されている。
【００３９】
本体ケース２の印字ヘッド５より上側の部位には、可動刃７が紙幅方向に移動可能に構成されたカッタユニット８が設けられている。一方、カバー３の先端部分には、可動刃７との間に記録紙を切断可能な固定刃（図示しない）が設けられている。この固定刃は、カバー３が閉じられた場合、可動刃７と接触可能な位置に配置されている。
【００４０】
図３又は図４に示すように、本体ケース２の中央部分には、ロール紙ホルダ２１と、必要に応じて用いられる仕切り部材３１とからなる紙幅調節機構２０が設けられている。
【００４１】
図６に示すように、ロール紙ホルダ２１は、ロール紙を収容するためのもので、略凹曲面状の底部２１ａと、略平板状の一対の側部２１ｂ、２１ｃとから一体的なケース状に形成されている。このロール紙ホルダ２１には、連続の感熱ロール紙又はラベル状の感熱紙のいずれも用いられるが、特に、ラベル状の感熱ロール紙にあっては、このロール紙とロール紙ホルダとの摩擦抵抗を小さくするように、ロール紙ホルダ２１の底部２１ａには、支持ローラ２２が回転可能に複数設けられている。
【００４２】
なお、これらの支持ローラ２２のいずれかは、使用に応じて径が変化するロール紙と接触するようになっている。ロール紙径が所定の値（例えばφ４３mm）に達するまで、支持ローラ２２は、ロール紙ホルダ２１の底部２１ａと接触せずこれらの間に生じる負荷が低減され、また、ロール紙径がその値を越えると、支持ローラ２２は、ロール紙ホルダ２１の底部２１ａと接触するが、この場合、ロール紙径が小さいため、これらの間に生じる負荷は問題とならない。
【００４３】
ロール紙ホルダ２１の側部２１ｂ、２１ｃは、このような底部２１ａの両端部分に、所定の間隔をおいて互いに平行になるように設けられている。ロール紙ホルダ２１の側部２１ｂ、２１ｃの間隔は、本実施の形態に用いられるロール紙の最大規格幅Ｗ１（例えば８０mm）より若干大きめに設定されている。
【００４４】
一方、仕切り部材３１は、図７（ａ）（ｂ）に示すように、最大規格幅Ｗ１より小さい幅のロール紙を収容する際にロール紙ホルダ２１内を仕切るためのもので、略平板状のスライド部３１ａと、このスライド部３１ａと直交する一方向に延びる第１のアーム部３１ｂ及び第２のアーム部３１ｃと、スライド部３１ａと直交する他の方向に延びる第３のアーム部３１ｄとから一体的になる。
【００４５】
このような仕切り部材３１は、樹脂材料から成型されたのもので、第１のアーム部３１ｂが、第２のアーム部３１ｃより長く形成される一方、第３のアーム部３１ｄは、折られることによってスライド部３１ａから除去可能に形成されている。
【００４６】
ここで、ロール紙ホルダ２１の側部２１ｂ、２１ｃのうち、基準となる側部を第１の側部（図６の左側の側部）２１ｂとし、反対側の側部を第２の側部２１ｃとした場合、仕切り部材３１の第１、第２のアーム部３１ｂ、３１ｃは、スライド部３１ａにつきロール紙ホルダ２１の第１の側部２１ｂと対向する側に配置され、仕切り部材３１の第３のアーム部３１ｄは、スライド部３１ａにつきロール紙ホルダ２１の第２の側部２１ｃと対向する側に配置されている。
【００４７】
仕切り部材３１のスライド部３１ａは、プリンタ１の設置姿勢（縦置き又は横置き）にかかわらず使用可能とするため、略円板状のものから所定の大きさの円周角をもって切り欠かれたような形状であって、切り欠かれた部分の高さがロール紙ホルダ２１の第１、第２の側部２１ｂ、２１ｃより低くなるように形成され、また、スライド部３１ａの略中央部分には、薄い円板状の摘み部３１ｅが形成されている。なお、スライド部３１ａの切欠きの大きさは、オペレータが摘み部を掴む際に手がぶつからない程度に定められている。
【００４８】
以下、上述のようなロール紙ホルダ２１と仕切り部材３１の相互関係については、図４、図５、図６、図７（ａ）（ｂ）及び図８（ａ）〜（ｆ）を参照して説明する。
【００４９】
ロール紙ホルダ２１の底部２１ａの近傍には、スライド軸２３が、第１、第２の側部２１ｂ、２１ｃの双方に挟まれることによって固定されている。これに対し、仕切り部材３１の第１のアーム部３１ｂの裏側には、ロール紙ホルダ２１のスライド軸２３に嵌合可能な軸受部３２が形成されている。
【００５０】
これにより、仕切り部材３１は、スライド部３１ａが、ロール紙ホルダ２１の第１、第２の側部２１ｂ、２１ｃの双方と平行な状態を保ったまま移動可能に支持されるとともに、第１のアーム部３１ｂが、ロール紙ホルダ２１の第１の側部２１ｂと当接可能になっている。
【００５１】
第１のアーム部３１ｂの長さは、スライド部３１ａと、ロール紙ホルダ２１の第１の側部２１ｂとの間隔を、本実施の形態に用いられるロール紙の最小規格幅Ｗ６（例えば３６mm）より若干大きめに保つように定められている。
【００５２】
仕切り部材３１のスライド部３１ａの厚さは、第１のアーム部３１ｂがロール紙ホルダ２１の第１の側部２１ｂに当接した状態で、スライド部３１ａ自身と、ロール紙ホルダ２１の第２の側部２１ｃとの間隔を、ロール紙の最小規格幅Ｗ６より小さい幅に保つように定められている。
【００５３】
これにより、仕切り部材３１は、第１のアーム部３１ｂがロール紙ホルダ２１の第１の側部２１ｂに当接した状態で、第１の側部２１ｂとの間に最小規格幅Ｗ６のロール紙を収容する空間を形成する一方で、第２の側部２１ｃとの間にロール紙を収容できないようになっている。
【００５４】
また、スライド部３１ａの厚さは、上記条件を満たす範囲において、スライド部３１ａから第３のアーム部３１ｄを取り去って、スライド部３１ａ自体がロール紙ホルダ２１の第２の側部２１ｃに当接した状態で、スライド部３１ａと、ロール紙ホルダ２１の第１の側部２１ｂとの間隔を、ロール紙の規格幅Ｗ２（例えば７０mm、ただし、Ｗ６＜Ｗ２＜Ｗ１）より若干大きめの幅に保つように定められている。
【００５５】
第３のアーム部３１ｄの長さは、第３のアーム部３１ｄがロール紙ホルダ２１の第２の側部２１ｃに当接した状態で、スライド部３１ａと、ロール紙ホルダ２１の第１の側部２１ｂとの間隔を、ロール紙の規格幅Ｗ３（例えば６０mm、ただし、Ｗ６＜Ｗ３＜Ｗ２）より若干大きめの幅に保つように定められている。
【００５６】
ロール紙ホルダ２１の底部２１ａの後方上部分には、一対の互いに平行なガイド片２４、２４が、スライド軸２３と直交するように設けられている。これに対し、仕切り部材３１のスライド部３１ａには、ロール紙ホルダ２１のガイド片２４、２４の双方の間に挿入可能な係合片３３が、後方側に突出して形成されている。
【００５７】
これにより、仕切り部材３１は、係合片３３が、ロール紙ホルダ２１のガイド片２４、２４の双方に挟まれた状態で、第１のアーム部３１ｂの軸受部３２が、ロール紙ホルダ２１のスライド軸２３にはまることによって、最小規格幅Ｗ６のロール紙を収容可能な位置に配置されるようになっている。なお、ロール紙ホルダ２１の各ガイド片２４、２４は、支持ローラ２２を支持するための部材を兼ねてもよい。
【００５８】
ロール紙ホルダ２１の底部２１ａの前方部分（図６の下側部分）には、仕切り部材３１の位置を決定するための位置決め部２５が、紙幅方向に複数配列されるが、本実施の形態の場合、第１の位置決め部２５ａと、第２の位置決め部２５ｂとが設けられている。第１、第２の位置決め部２５ａ、２５ｂは、それぞれ、第１の側部２１ｂから所定の間隔をおいた位置に、円柱形状に形成されている。このような第１、第２の位置決め部２５ａ、２５ｂには、それぞれ、ねじの案内穴が形成されている。また、位置決め部２５の裏側には、案内穴と同一位置に雌ねじを形成するための部材（図示せず）が圧入されている。
雌ねじが形成されている。
【００５９】
これに対し、仕切り部材３１の第２のアーム部３１ｃには、ロール紙ホルダ２１の第１、第２の位置決め部２５ａ、２５ｂの双方に嵌合可能な調節孔３４が形成されている。この調節孔３４は、長軸に紙幅方向の所定の長さをもち、かつ、短軸に第１、第２の位置決め部２５ａ、２５ｂの外径をもつ長孔状に形成され、スライド部３１ａを、ロール紙ホルダ２１の第１の側部２１ｂに対してロール紙の紙幅を調節するような位置に配置されている。
【００６０】
なお、仕切り部材３１の調節孔３４は、第２のアーム部３１ｃ自体から下がった位置に配置され、この調節孔３４にロール紙ホルダ２１の第１、第２の位置決め部２５ａ、２５ｂがはめられた状態で雄ねじが締められても、その雄ねじの頭は、第２のアーム部３１ｃからはみ出ない、すなわち、ロール紙と接触しないようになっている。
【００６１】
これにより、仕切り部材３１は、スライド軸２３と軸受部３２及び調節孔３４と第１、第２の位置決め部２５ａ、２５ｂにより紙幅方向に摺動可能に保持される。仕切り部材３１の固定については、第１、第２の位置決め部２５ａ、２５ｂに形成されたねじの案内穴に雄ねじを通し、位置決め部２５の雌ねじを形成するための部材に雄ねじを締め付けることによって行われる。
【００６２】
ねじ案内穴としては、第１、第２の位置決め部２５ａ、２５ｂの双方が存するが、それぞの穴の大きさによって紙幅の対応可能な領域が異なる。
【００６３】
第１の位置決め部２５ａ側を用いることにより、ロール紙の規格幅Ｗ４＝３８〜５８mm、第２の位置決め部２５ｂ側を用いることにより、Ｗ５＝５０〜７０mmである。
【００６４】
そのため、第１第２の位置決め部２５ａ、２５ｂの双方が共通する領域は、５０〜５８mmであり、Ｗ５（ｍｉｎ）＝５０mm、Ｗ４（Ｍａｘ）＝５８mmとすれば、Ｗ５（ｍｉｎ）の位置は、ねじの頭の外周と調節孔３４の右端壁３４ａの当接により、また、Ｗ４（Ｍａｘ）の位置は、ねじのねじ山部と調節孔３４の左端壁３４ｂの当接により決定される。
【００６５】
ロール紙ホルダ２１の底部２１ａの前端部分には、目盛り２６が付されている。この目盛り２６は、ロール紙ホルダ２１の第１の側部２１ｂの端面を基準にして、スライド部３１ａの端面までの長さを仕切り部材３１の移動量に応じて示すようになっている。
【００６６】
このような構成を有する本実施の形態においては、図８（ｆ）に示すように、最大規格幅Ｗ１のロール紙を用いる場合、仕切り部材３１を使わずに、そのまま、このロール紙をロール紙ホルダ２１に収容する。
【００６７】
図３又は図４に示すように、最大規格幅Ｗ１より小さい幅のロール紙を用いる場合には、まず、仕切り部材３１をロール紙ホルダ２１に装着する。
【００６８】
この場合、仕切り部材３１を、係合片３３をガイド片２４、２４の双方の間に挿入してから、そのまま落とし込むことによって、第１のアーム部３１ｂの軸受部３２をロール紙ホルダ２１のスライド軸２３にはめる。
【００６９】
これにより、図８（ａ）に示すように、仕切り部材３１の調節孔３４が、ロール紙ホルダ２１の第１の位置決め部２５ａにはまる一方で、ロール紙ホルダ２１と仕切り部材３１との間に、最小規格幅Ｗ６のロール紙を収容する空間が形成され、最小規格幅Ｗ６のロール紙を用いる場合には、そのままの状態で、ねじを第１の位置決め部２５ａ側で締め込み、仕切り部材３１を固定する。
【００７０】
図８（ｂ）に示すように、規格幅Ｗ５ｍｉｎのロール紙を用いる場合には、仕切り部材３１の調節孔３４にロール紙ホルダ２１の第２の位置決め部２５ｂをもはめてから、仕切り部材３１を、摘み部３１ｅもってスライドし、調節孔３４の右端壁３４ａとロール紙ホルダ２１の第２の位置決め部２５ｂを使用してねじ止めした際にそのねじの頭と突き当たる位置に定める。
【００７１】
図８（ｃ）に示すように、規格幅Ｗ４Ｍａｘのロール紙を用いる場合には、仕切り部材３１を、さらにスライドしてから、調節孔３４の左端壁３４ｂが第１の位置決め部２５ａを使用してねじ止めした際にそのねじのねじ山部と突き当たる位置に定める。図８（ｂ）（ｃ）は、第１、第２の位置決め部２５ａ、２５ｂで共通する紙幅領域があるため、反対側の穴にねじを通しても問題ない。
【００７２】
図８（ｄ）に示すように、規格幅Ｗ３のロール紙を用いる場合には、仕切り部材３１の調節孔３４からロール紙ホルダ２１の第１の位置決め部２５ａを外してから、仕切り部材３１を、摘み部３１ｅをもってスライドし、第３のアーム部３１ｄがロール紙ホルダ２１の第２の側部２１ｃに突き当たる位置に定める。
【００７３】
図８（ｅ）に示すように、規格幅Ｗ２のロール紙を用いる場合には、仕切り部材３１の第３のアーム部３１ｄを折ってから、仕切り部材３１を、摘み部３１ｅをもってスライドし、スライド部３１ａ自体がロール紙ホルダ２１の第２の側部２１ｃに突き当たる位置に定める。
【００７４】
一方、上記規格幅Ｗ１〜Ｗ６以外の幅のロール紙を用いる場合や、規格幅Ｗ１〜Ｗ６のロール紙であっても、ロール紙を収容する空間の大きさを微調節する場合には、仕切り部材３１を、摘み部３１ｅをもってスライドし、スライド部３１ａの端面をロール紙ホルダ２１の目盛りに合わせることによって、所望の値に設定する。
【００７５】
そして、仕切り部材３１を上記いずれかの位置に定めた後、ロール紙ホルダ２１の第１、第２の位置決め部２５ａ、２５ｂのいずれか一方又は双方に雄ねじを締め付けることによって仕切り部材３１をロール紙ホルダ２１に固定する。
【００７６】
他方、ロール紙の幅の設定を変更する場合には、一旦、締め付けた雄ねじを緩めた後、あるいは、ねじを外してからねじ穴を他方に変更した後、仕切り部材３１を、摘み部３１ｅをもってスライドし、所望の位置に定めてから、再度、雄ねじを締め付けることによって、仕切り部材３１をロール紙ホルダ２１に固定する。
【００７７】
以上述べたように本実施の形態によれば、仕切り部材３１を、ロール紙ホルダ２１において紙幅方向にスライドするようにし、さらに、調節孔３４において少なくともロール紙ホルダ２１の第１、第２の位置決め部２５ａ、２５ｂのいずれか一方と係合するようにしたことから、一つの仕切り部材３１でも多くの規格幅をもつロール紙だけでなく、規格以外の幅のロール紙にも対応することができる。
【００７８】
特に、本実施の形態の場合、仕切り部材３１をロール紙ホルダ２１に固定するのに、ねじを用いたことから、仕切り部材３１をロール紙ホルダ２１との間に隙間なく密着させることができることと併せて、紙幅の設定変更を容易にすることができる。
【００７９】
また、本実施の形態によれば、仕切り部材３１に、第１、第３のアーム部３１ｂ、３１ｄの長さや、第３のアーム部３１ｄを除去した上でのスライド部３１ａの厚さについて所期の設定を施すことにより、また、ロール紙ホルダ２１と仕切り部材３１との間に、位置決め部２５と調節孔３４と係合による位置調節を施すことにより、複数の規格幅をもつロール紙に対応することができる。
【００８０】
さらに、本実施の形態によれば、仕切り部材３１を、目盛り２６を介してロール紙ホルダ２１に対して調節するようにしたことから、規格以外の幅のロール紙にも対応することができる。
【００８１】
さらにまた、本実施の形態によれば、仕切り部材３１を、第１のアーム３１ｂがロール紙ホルダ２１の第１の側部２１ｂに当接又は接近した状態でのみロール紙ホルダ２１に装着するようにしたことから、装着した状態では必ず最小規格幅Ｗ６のロール紙に対応できるようになっているため、そのロール紙を用いる場合には調節の必要がないという利点がある。
【００８２】
特に、この場合、仕切り部材３１のスライド部３１ａの幅の設定や、第３のアーム部３１ｄの存在により、スライド部３１ａとロール紙ホルダ２１の第２の側部２１ｃの間には、最小規格幅Ｗ６のロール紙でさえ収容できないため、オペレータの誤操作を防止することができる。
【００８３】
さらに加えて、仕切り部材３１のスライド部３１ａの一部を切り欠いてそこに摘み部３１ｅを設けたことに加え、スライド部３１ａの縁部分をロール紙ホルダ２１の縁部分より低くくしたことから、オペレータが摘み部３１ｅを掴みやすくできるとともに、ロール紙の装着や取り外しを容易にすることができる。
【００８４】
なお、本発明は上述の実施の形態に限られることなく、種々の変更を行うことができる。
【００８５】
例えば、上記実施の形態においては、複数の規格幅のロール紙に対応するため、
仕切り部材の一つの調節孔に対して、ロール紙ホルダに位置決め部を２個設けたが、本発明の場合、規格幅の種類に応じて、位置決め突部を１個又は３個以上にしたり、仕切り部材の調節孔を複数にすることも可能である。
【００８６】
また、上記実施の形態においては、規格以外の幅のロール紙にも対応するため、ロール紙ホルダに目盛りを付したが、本発明の場合、紙送り精度の向上を図るべくロール紙ホルダ内の遊びを小さくする場合や、あるいは、紙詰まりを防止すべくロール紙ホルダ内の遊びを大きくする場合など、一旦、設定した規格幅を微調節する観点から、目盛りに規格幅を示す数字を記載することもできる。
【００８７】
さらに、上記実施の形態においては、規格幅を設定する際に仕切り部材の第１、第３のアーム部を用いたが、本発明の場合、第３のアーム部を異なる長さの複数のものとして適宜不要なアーム部を除去することにより、規格幅に対応する範囲を拡げることができる。
【００８８】
【発明の効果】
以上述べたように本発明によれば、仕切り部材を、ロール紙ホルダにおいて紙幅方向に移動するようにし、さらに、ロール紙ホルダの位置決め部と係合した状態で紙幅方向の位置を調節することにより、一つの仕切り部材でも多くの規格幅をもつロール紙だけでなく、規格以外の幅のロール紙にも対応することができる。
【００８９】
また、本発明によれば、ロール紙ホルダにスライド可能であって、所定の位置に調節可能な構成をもつ仕切り部材を得ることができ、さらに、このような仕切り部材の大きさを最小にすることが可能になるため、プリンタの小型化を図ることが可能になる。
【００９０】
さらに、本発明によれば、ロール紙ホルダと仕切り部材との間に、位置決め部と調節孔と係合による位置調節を施すことにより、複数の規格幅をもつロール紙に対応することが可能になることと併せて、仕切り部材をロール紙ホルダにねじによって固定することにより、仕切り部材をロール紙ホルダとの間に隙間なく密着させることが可能になる一方で、紙幅の設定変更を容易することができる。
【００９１】
さらにまた、本発明によれば、仕切り部材を、目盛りを介してロール紙ホルダに対して調節することにより、規格以外の幅のロール紙にも対応することができる。
【００９２】
さらに加えて、本発明によれば、仕切り部材の第１、第２のアーム部のいずれか一方又は双方をロール紙ホルダの第１の側部に突き当てるだけで、最小幅のロール紙に対応することができる。
【００９３】
また、本発明によれば、仕切り部材のスライド部とロール紙ホルダの第２の側部の間に形成される空間は、最小幅のロール紙でさえ収容できない大きさであるため、必ず、仕切り部材のスライド部とロール紙ホルダの第１の側部の間にしかロール紙が収容されず、オペレータの誤操作を防止することができる。
【００９４】
さらに、本発明によれば、仕切り部材の第３のアーム部の存在により、仕切り部材のスライド部とロール紙ホルダの第２の側部の間にロール紙を収容するという誤操作を防止できることと併せて、第３のアーム部の長さを所定の値に設定すれば、対応しうるロール紙の規格幅を増やすことができる。
【００９５】
さらにまた、本発明によれば、仕切り部材を、第１のアームがロール紙ホルダの第１の側部に当接又は接近した状態でのみロール紙ホルダに装着させることにより、装着した状態では必ず最小幅のロール紙に対応できるようになっているため、そのロール紙を用いる場合には調節の必要がないという利点がある。
【００９６】
さらに加えて、本発明によれば、仕切り部材のスライド部の一部をロール紙ホルダのガイド部に係合させてから、その仕切り部材を落とし込むだけで、ロール紙ホルダのスライド軸にはめることができるため、仕切り部材の操作性を向上することができる。
【００９７】
また、本発明によれば、ロール紙ホルダと仕切り部材との間において、ロール紙の装着や取り外しを容易にすることができる。
【００９８】
一方、本発明によれば、多くの規格幅をもつロール紙だけでなく、規格以外の幅のロール紙にも対応可能なプリンタを得ることができ、特に、紙幅の種類の多いラベル用のプリンタに有効である。
【図面の簡単な説明】
【図１】本実施の形態のプリンタの概略構成を示す側面図である。
【図２】同プリンタのカバーが開いた状態を示す側面図である。
【図３】同プリンタのカバーが開いた状態を示す斜視図である。
【図４】同プリンタのカバーが開いた状態の要部を示す斜視図である。
【図５】本実施の形態の紙幅調節機構の概略構成を示す正面図である。
【図６】同紙幅調節機構のうちロール紙ホルダの概略構成を示す斜視図である。
【図７】（ａ）（ｂ）：同紙幅調節機構のうち仕切り部材の概略構成を示す斜視図である。
【図８】（ａ）〜（ｆ）：同ロール紙ホルダと同仕切り部材のロール紙の幅調節についての位置関係を示す図である。
【符号の説明】
５  印字ヘッド
６    プラテンローラ
２０    紙幅調節機構
２１    ロール紙ホルダ
２１ｂ  第１の側部
２１ｃ  第２の側部
２３    スライド軸
２５    位置決め部
２６    目盛り
３１    仕切り部材
３１ａ  スライド部
３１ｂ  第１のアーム部
３１ｃ  第２のアーム部
３１ｄ  第３のアーム部
３１ｅ  摘み部
３２    軸受部
３３    係合片
【図１】
0004720017.tif 000002
【図２】
0004720017.tif 000003
【図３】
0004720017.tif 000004
【図４】
0004720017.tif 000005
【図５】
0004720017.tif 000006
【図６】
0004720017.tif 000007
【図７】
0004720017.tif 000008
【図８】
0004720017.tif 000009